(57)【要約】【課題】ホームシアターシステムとして、ホームシアターに必要なＡＶ機器を収納する収納家具と、ホームシアタールームとして適した内装をユニットとして提供することで、統一感を出してインテリア性を高め、また、ホームシアターとしての機能を高める。【解決手段】ＡＶ機器を収納する収納家具１と、ＡＶ機器の接続ケーブルを配線可能な配線機能付き天井５０を、ホームシアターシステムを構築するための内装として備えた。収納家具１は、正面視門状に組んだラックから成るトップユニット７５と、ローボード型家具から成るベースユニット７６で構成し、トップユニット７５の内部には連通する配線空間を形成した。また、配線機能付き天井５０は天井を上層天井５１と下層天井５２の二層に構成し、下層天井５２に設けた見切縁５３に配線棚５４を形成した。【選択図】　　　図８
2004081537.tif 000002
【特許請求の範囲】
【請求項１】
ＡＶ（オーディオビジュアル）機器を収納する収納家具と、ケーブル配線機能を備えた天井とを、ＡＶ機器収納用及び配線用の内装として構築したことを特徴とするホームシアターシステム。
【請求項２】
請求項１に記載のホームシアターシステムにおいて、
前記天井を吸音性を備えた天井板で構成したことを特徴とするホームシアターシステム。
【請求項３】
請求項１又は請求項２に記載のホームシアターシステムにおいて、
前記収納家具は壁面に沿って設置し、該収納家具の高さを壁面の上下高さと略同等としたことを特徴とするホームシアターシステム。
【発明の詳細な説明】
【０００１】
【発明の属する技術分野】
本発明は、ホームシアターシステムに関し、特に、ホームシアターシステムを設置するために構成した部屋の内装に関する。
【０００２】
【従来の技術】
ＡＶ（オーディオビジュアル）機器の低価格化、コンパクト化が急速に進み、かつてはマニアだけの楽しみであったホームシアターが、今や誰でも手軽に楽しめるものとなりつつある。映像や音楽は殆どの人が気軽に家庭で楽しめるものであるため、その楽しみ方をより一層広げるものとして、ホームシアターは今後ますます普及していくことが見込まれる。
【０００３】
一方、かつては家族の団欒といえば、お茶の間でテレビを見るという光景が一般的なスタイルであった。しかし、時代と共に家族の生活も個人化が進んでいる。このような背景の中で、リビングルームに、その家庭の生活スタイルに沿った機能を積極的に装備しようとする考え方が広がり始めており、ホームシアターもその機能の一つに位置づけられる。
【０００４】
上述のような家庭でのホームシアター構築ための補助的手段として、複数のＡＶ機器をまとめて収納するためのユニット家具が提案されている。
例えば、特開平５−１６８５３７号公報や、特開平５−１２３２２６号公報に記載の技術である。これらの技術では、ＡＶ機器を繋ぐ配線を外観よく隠蔽することを可能としたり、一つのユニット家具にホームシアターを構成する複数のＡＶ機器を一体感や高級感を持たせるように収納したりするための構成が提案されている。
【０００５】
【発明が解決しようとする課題】
上述のＡＶ機器を収納するための家具は、リビングルームとしての機能と、ホームシアターとしての機能を両立させるために、インテリアとして部屋に美しく調和するものであることが好ましいため、ＡＶ機器収納のための機能、特に、美麗に配線させるための機能と、インテリアとしての意匠性を備えている。
しかし、機器の収納機能が備えられていても、ホームシアタールームとして必要な、音響設計、照明設計等が考慮されていないケースが多く、ホームシアターとしての楽しみを十分に生かすことができていないことが多い。
【０００６】
また、ＡＶ機器を使用可能な状態で収納する際に問題となるのが配線の処理である。ＡＶ機器は記録媒体の種類や、放送媒体の増加に伴い、再生装置及び受信装置等の種類が増加する傾向にある。従って、一般の家庭においても多種多数のＡＶ機器を備えられるようになり、各ＡＶ機器の電気配線と、前記再生装置及び受信装置をセレクターや増幅器やディスプレイに繋ぐ接続用配線とをどう処理するかが問題になっている。特に、近年ではサラウンドスピーカシステムを備えるホームシアターも多く見られ、この場合、ＡＶ機器から離して配置されるスピーカへの接続用配線を隠蔽したり美しく配線したりすることは困難である。
そこで、本発明では、リビングとしての設えを整えながらも、大画面と立体音響によって三次元的な広がりをもつオーディオシステムを備えた住空間を構築することが可能なホームシアターシステムを提案する。
【０００７】
【課題を解決するための手段】
本発明の解決しようとする課題は以上の如くであり、次にこの課題を解決するための手段を説明する。
【０００８】
即ち、請求項１においては、ＡＶ（オーディオビジュアル）機器を収納する収納家具と、ケーブル配線機能を備えた天井とを、ＡＶ機器収納用及び配線用の内装として構築したものである。
【０００９】
請求項２においては、請求項１に記載のホームシアターシステムにおいて、前記天井を吸音性を備えた天井板で構成したものである。
【００１０】
請求項３においては、請求項１又は請求項２に記載のホームシアターシステムにおいて、前記収納家具は壁面に沿って設置し、該収納家具の高さを壁面の上下高さと略同等としたものである。
【００１１】
【発明の実施の形態】
次に、発明の実施の形態を説明する。
図１は本発明の一実施例に係るホームシアターシステムの全体的な構成を示した斜視図である。
図２は収納家具を示す正面図、図３は収納家具の内部を示す正面図、図４は収納家具の内部を示す側断面図、図５は収納家具の構成を示す斜視図、図６は収納家具の別実施例を示す正面図、図７は収納家具のバリエーションを示す図である。
図８はホームシアターシステムの全体的な構成を示した正面図、図９は新設した配線機能付き天井を示す断面図、図１０は既存の天井に設けた配線機能付き天井を示す断面図、図１１は見切縁を示す側断面図、図１２は配線機能付き天井を用いた配線の様子を示す図である。
図１３はホームシアターシステムの全体的な構成を示した平面図、図１４は収納家具の設置壁面と配線機能付き天井の設置範囲の空間サイズバリエーションを示す図である。
【００１２】
本発明に係るホームシアターシステムは、リビングルームに備えることのできるようインテリア性を備えたものであるとともに、本格的なホームシアターを構成するために必要な機器を備え、また、ホームシアタールームとして適した環境を構成するためのものである。
【００１３】
リビングルームは生活の場であり、従って、ホームシアタールームと併用するためには、ホームシアタールームとするため備えられるＡＶ（オーディオビジュアル）機器のケーブルや電気ケーブル等を、露出して足で引っ掛けたりすることのないように、また、リビングルームの美観を損ねることのないように、隠蔽して配線する必要がある。さらに、リビングルームとしての機能のみを備えた空間では、遮光性や吸音（遮音）性をそれほど重視していないために、ホームシアターの機能を十分に生かし切れない。
そこで、ホームシアターシステムとして、ホームシアターに必要なＡＶ機器を収納する収納家具と、ホームシアタールームとして適した内装をユニットとして提供することで、統一感を出してインテリア性を高め、また、ホームシアターとしての機能を高めるようにしている。
【００１４】
本実施例に係るホームシアターシステムは、図１に示す如く、収納家具１と、配線機能付き天井５０と、遮光可動壁７０とで構成されている。
収納家具１には、ホームシアターを構築するために必要な、ＡＶ機器や、その接続配線、ソフト等が収納されている。
配線機能付き天井５０では、天井が上下二層に構成されて、下層の天井の周囲に設けられた見切縁５３に配線のための構造が備えられている。
遮光可動壁７０は、部屋の窓等の外部への開口部７１の室内側に設けられた、遮光壁であり、カーテンより高い遮光性を実現している。
【００１５】
まず、図２乃至図５を用いて収納家具１の構成について説明する。
収納家具１には、ホームシアターシステムを備えるために必要な各ＡＶ機器の電気ケーブルと、各ＡＶ機器を繋ぐ接続用ケーブルを収納家具１に形成した配線空間に配線することで、外観から隠蔽し、室内の美観を損ねることなく、また、埃が積もらないようにしている。
さらに、収納家具１では、配線ルートの変更や、新規のＡＶ機器の増設におけるケーブルの増加にも容易に対応できるようにして、収納家具１を移動させることなく配線作業を行うことができるようにしている。
【００１６】
また、一連の意匠に基づいて製作されたＡＶ機器を揃えることは、統一感があり美観に優れるという利点があるものの、ＡＶ機器は機能やその購入時期等により意匠は刻々と変化するため難しい。そこで、収納家具１に収納されるＡＶ機器が様々な意匠を有していても、統一感を出すことができるようにしている。
【００１７】
収納家具１は、ローボード型家具を並列して組み合わせたベースユニット７６と、該ベースユニット７６の上部に載置固定され、ラック型家具を正面視門状に組み合わせたトップユニット７５で構成されている。
収納家具１は、ホームシアターシステムを構築する部屋の一壁面に沿って配設され、該壁面を殆ど覆う大きさとされている。すなわち、収納家具１の左右幅は収納家具設置壁面の左右幅にほぼ等しく、同じく上下幅は、床から天井までの高さにほぼ等しい。収納家具が部屋の一壁面を占めることにより、配線機能付き天井５０と連続する配線空間を形成することを可能とし、また、インテリアとしても重厚感を与えている。
但し、ドアが配置されていたり、部屋間に亘って連続したりする壁に収納家具が設置されるときには、収納家具の左右幅は収納家具設置壁面の左右幅より小さくするようにして、適宜部屋の形態に適合させる。
【００１８】
そして、本実施例においては、この収納家具１に、５．１ｃｈスピーカシステム採用したホームシアターシステムを備えるための機器が収納されている。５．１ｃｈスピーカシステムでは、左右のフロントスピーカ２１Ｌ・２１Ｒと、センタースピーカ２９と、左右のリアスピーカ７７Ｌ・７７Ｒと、ウーファー３３の、合計六個のスピーカが必要とされる。但し、ホームシアターシステムに備えられるスピーカシステムはこれに限定されるものではなく、例えば、３ＷＡＹスピーカシステムや７．１ｃｈスピーカシステムを採用することもできる。
【００１９】
前記ベースユニット７６では、図２の正面左側から、ローボード３、ＡＶボード２、ウーファー収納ボード４の、三つのローボード型家具が連続して配置されている。ベースユニット７６を構成する各ボード３・２・４は高さ及び奥行きが統一され、全体として略直方体となるようにされて、その上面が略平面を形成している。さらに、これらのベースユニット７６を構成する各ボード３・２・４は、材質や色が統一されて、一体感を感じることができるように図られている。
【００２０】
ベースユニット７６の左右略中央に配設されたＡＶボード２の左右略中央部には、スピーカ収納部３０が形成されセンタースピーカ２９が収納されている。さらに、スピーカ収納部３０の左右にはＡＶ機器収納部が形成され、ビデオデッキ３１、ＤＶＤプレーヤー３６、ＰＤＰチューナ３２及びＡＶアンプ３５等のＡＶ機器が使用可能な状態で収納されている。すなわち、ＡＶ機器を収納するＡＶ機器収納部に取り付けられた扉１４・１４は透明であり赤外線を通す素材で構成され、扉１４・１４を閉めた状態で赤外線式リモートコントローラにより操作することができるように収納されているのである。
また、ウーファー収納ボード４のスピーカ収納部３４には、ウーファー３３が収納されている。
センタースピーカ２９及びウーファー３３を収納するスピーカ収納部３０・３４には、略矩形状に組んだ枠体にメッシュクロス等の音を通過する布材を張設して構成したカバー１５・１２が着脱自在に取り付けられ、センタースピーカ２９及びウーファー３３は収納家具１の外観に露出しない構成とされている。
【００２１】
前記ＡＶボード２の背面は少なくとも一部開放された状態とされており、ＡＶボード２の背面を通ってＡＶ機器同士の接続配線を行うことができるようにされている。
また、ＡＶボード２の天板は二枚の固定板１７・１９と一枚の可動板１８で構成されて、正面側から、前固定板１７、可動板１８、後固定板１９の順に配設されている。後固定板１９には、ＡＶボード２の背面から上方への配線ルートを形成するための配線用切欠１９ａが形成されている。そして、ＡＶボード２の天板を構成する可動板１８を回動又は取り外すことにより、ＡＶボード２の天板を一部開放して上方からＡＶ機器収納部の内部を見ることができるように、また、配線作業できるように構成されている。
上述の如く構成したＡＶボード２のＡＶ機器収納部にＡＶ機器を収納する際には、ＡＶボード２の正面からＡＶ機器を挿入し、ＡＶボード２の天板の開放された部分からＡＶボード２の内部を確認しながらＡＶ機器を設置することができる。さらに、ＡＶボード２の天板の開放された部分からＡＶ機器の配線作業を行うことができ、ＡＶボード２を移動させることなく配線作業を行うことができる。
【００２２】
前記トップユニット７５は、ローボード３及びウーファー収納ボード４の上部にそれぞれトールラック５Ｌ・５Ｒが載置固定され、これら左右のトールラック５Ｌ・５Ｒ間にスクリーンラック７が架設され、正面視門状に構成されている。
【００２３】
前記スクリーンラック７には、左右方向に連続する配線空間２６が設けられ、該配線空間２６の下方には、スクリーン２５を巻き取った状態で収納したスクリーンアセンブリ２４が取り付けられている。従って、プロジェクタ使用時に、巻き取られ収納されたスクリーン２５を引き出して使用することができる。
【００２４】
左右のトールラック５Ｌ・５Ｒには、それぞれスピーカ収納部２０・２０が設けられ、該スピーカ収納部２０・２０には左右のフロントスピーカ２１Ｌ・２１Ｒがそれぞれ収納されている。スピーカ収納部２０・２０には略矩形状に組んだ枠体にメッシュクロス等の音を通過する布材を張設して構成したカバー１０・１０が着脱自在に取り付けられ、左右のフロントスピーカ２１Ｌ・２１Ｒは収納家具１の外観に露出しない構成とされている。
また、左右のトールラック５Ｌ・５Ｒおよびスクリーンラック７には、開閉可能な扉３７・３７・・・３９・３９が設けられている。扉３７・３７・・・３９・３９は、振動を抑えるために中実に構成され、その表面は波状に形成されて音の反射が抑制されている。
【００２５】
上述の如く、左右のフロントスピーカ２１Ｌ・２１Ｒ、センタースピーカ２９及びウーファー３３を収納するスピーカ収納部２０・２０・３０・３４は全てカバー１０・１０・１５・１２で覆われており、外観からは直接スピーカが見えないようにされている。従って、スピーカの大きさや種類、意匠等が異なっていても、統一感を出すことができ、インテリアとしての収納家具１の意匠性を損ねることのないようにされている。さらに、スピーカには埃が付着しやすいが、スピーカ収納部２０・２０・３０・３４はカバー１０・１０・１５・１２で覆われているためスピーカに埃が付着しにくくなり、さらに、カバー１０・１０・１５・１２は脱着可能であるので容易に洗浄することができる。
【００２６】
そして、正面視門状に組まれたトップユニット７５の外周縁部において、内部に正面視門状の配線空間が形成されている。
トールラック５Ｌ・５Ｒには上下方向に連続する配線空間２７ｈ・２８ｈと、左右方向に連続する配線空間２７ｗ・２８ｗがそれぞれ設けられ、これらの配線空間２７ｈ・２７ｗ・２８ｈ・２８ｗは連通孔により連通されている。また、スクリーンラック７に設けられた配線空間２６と、トールラック５Ｌ・５Ｒに形成された左右方向の配線空間２７ｗ・２８ｗは連通孔により連通されている。すなわち、左右のトールラック５Ｌ・５Ｒ及びスクリーンラック７に設けられた配線空間２７ｈ・２７ｗ・２６・２８ｗ・２８ｈは全て連通され、正面視門状の連通した配線空間が形成されているのである。
さらに、トールラック５Ｌ・５Ｒに形成された上下方向の配線空間２７ｈ・２８ｈの底部及び天部には、それぞれ連通孔が設けられており、底部の連通孔より、ベースユニット７６の背面に配線されたケーブルをトールラック５Ｌ・５Ｒ内に導くことができ、また、天部の連通孔よりトールラック５Ｌ・５Ｒ内に配線されたケーブルをトールラック５Ｌ・５Ｒの上方に導出可能とされている。
【００２７】
そして、ベースユニット７６及び門状のトップユニット７５で囲まれた空間には、センターパネル８が設けられている。センターパネル８は、既存の壁に離間して固定された上下方向に長尺な板材であるセンターパネル用下地材４０・４０・・・を介して固定されている。従って、センターパネル８と壁には間隙が形成されることとなり、該間隙がベースユニット７６背面からセンターパネル８に取り付けられるＰＤＰ（プラズマディスプレイパネル）９への接続用ケーブルの配線ルートとなる。
【００２８】
なお、センターパネル８は、上中下の三枚のパネル８ａ・８ｂ・８ｃにより構成されており、最下部に位置するパネル８ｃはセンターパネル用下地材４０・４０・・・にマグネットにより固定されており、簡単に着脱できるように構成されて、配線作業時には最下部のパネル８ｃを外して作業を行うことができるように構成されている。さらに、センターパネル８はベースユニット７６を構成するＡＶボード２の、後固定板１９に形成された配線用切欠１９ａより手前側に位置し、該配線用切欠１９ａはセンターパネル８により隠蔽されている。
【００２９】
前記センターパネル８には、ＰＤＰ取付金具４２を介してＰＤＰ９が吊設される。センターパネル８は、既存の壁にセンターパネル用下地材４０・４０・・・を介して固定され、該センターパネル８にＰＤＰ９が吊設されることにより、既存の壁に直接ＰＤＰ９を吊設するときと比較して、安定した状態で吊設できるようにしている。
なお、センターパネル８にはＰＤＰ９とＡＶボード２に収納されたＰＤＰ９チューナとを接続するケーブルを通すための配線孔４１が設けられており、ＰＤＰ９の接続端子に接続されたケーブルは、配線孔４１→センターパネル８と壁との間隙→ＡＶボード２の配線用切欠１９ａ→ＡＶボード２の背面、というルートでＰＤＰ９チューナの接続端子まで配線される。
【００３０】
上述の如く構成された収納家具１において、ＡＶアンプ３５と各ＡＶ機器及びスピーカが接続用ケーブルにより接続される。そして、これらのケーブルは収納家具１に形成された配線空間を利用して配線されて、該収納家具１の外観に露出しないように構成されている。
図３に示す如く、ＡＶボード２に収納される、ＰＤＰチューナ３２やビデオデッキ３１、ＤＶＤプレーヤー３６の各ＡＶ機器はケーブルによってＡＶアンプ３５に接続されている。これらのケーブルは、ＡＶボード２の背面の空間を利用して配線されている。
【００３１】
そして、前記ＡＶアンプ３５には左右のフロントスピーカ２１Ｌ・２１Ｒ、センタースピーカ２９、ウーファー３３、左右のリアスピーカ７７Ｌ・７７Ｒ及びプロジェクタ７８がケーブルによって接続されている。
ＡＶアンプ３５からセンタースピーカ２９及びウーファー３３までのケーブルは、ベースユニット７６の背面の空間を利用して配線されている。
【００３２】
また、ＡＶアンプ３５とフロントスピーカ２１Ｌ・２１Ｒ及びプロジェクタ７８を接続するケーブルは、先ず、ＡＶアンプ３５の背面から出て、ベースユニット７６の背面を通り、ローボード３の上方に配設されたトールラック５Ｌの内部において上下方向に設けられた配線空間２７ｈの底面に穿設された配線用孔から、配線空間２７ｈへ導かれる。
そして、ケーブルは配線空間２７ｈの上下中途部において左側のフロントスピーカ２１Ｌへのケーブルが分岐され、同じく上部において右側のフロントスピーカ２１Ｒ及びリアスピーカ７７Ｌ・７７Ｒへのケーブルが分岐される。残りの、左側のリアスピーカ７７Ｌ・７７Ｒとプロジェクタ７８へのケーブルは、配線空間２７ｈの上面に穿設された配線孔よりトールラック５Ｌ・５Ｒの上方へ延出されて、左側のリアスピーカ７７Ｌ・７７Ｒとプロジェクタ７８へ導かれる。
【００３３】
一方、図１２にも示す如く、前記配線空間２７ｈ内で分岐した右側のフロントスピーカ２１Ｒ及びリアスピーカ７７Ｌ・７７Ｒへのケーブルは、配線孔を通ってトールラック５Ｌの左右方向に連続する配線空間２７ｗまで至り、さらに、スクリーンラック７の配線空間２６を通って、右側のトールラック５Ｒに設けられた左右方向の配線空間２８ｗまで導かれ、上下方向の配線空間２８まで至る。この上下方向の配線空間２８において右側のリアスピーカ７７Ｒへのケーブルと右側のフロントスピーカ２１Ｒへのケーブルとに分岐され、右側のリアスピーカ７７Ｒへのケーブルは配線空間２８ｈの上面に穿設された配線用孔を通って右側のリアスピーカ７７Ｒへ導かれる。
【００３４】
上述の如く配線されたケーブルは、扉３７・３７・・・３９・３９を開けて配線空間２７ｈ・２７ｗ・２６・２８ｗ・２８ｈを開放した状態で、或いは、ＡＶボード２の可動板１８を回動又は取り外して上部を開放した状態で、配線することができるため、配線のために、家具自身を移動させる必要がなく、配線作業が非常に簡易となる。従って、ＡＶ機器のメンテナンスや増設、修理等が容易にでき、ＡＶ機器を変更したり増設したりしても長期にわたってＡＶ機器を収納するとともに、美麗に配線することができる。
【００３５】
なお、ＰＤＰ９ではなくテレビ７９を採用するときには、ベースユニット７６の構成家具としてテレビ７９を載置可能なテレビボード８０が採用される。図６に示す如く、テレビボード８０はベースユニット７６の左端又は右端に配置され、コーナー家具として構成されることによって、奥行きのあるテレビ７９がベースユニット７６から大幅に突出することなく、また、美麗に配置される。そして、テレビボード８０の上方に配置されるトールラック５Ｌの底面は、ベースユニット７６の上面からテレビ７９を配置するために十分な間隔をあけて配置される。
【００３６】
このように、収納家具１に配置するＡＶ機器に応じて、収納家具１を構成する家具を変更することにより対応することができ、また、図７に示す如く、収納する家具を設置するスペースに応じて収納家具１を構成する家具を変更して、より、ホームシアターを備えようとする部屋の壁面の面積、形状及びホームシアターシステムの設置状態に適する収納家具１を構成することができる。
【００３７】
次に、配線機能付き天井５０の構成について説明する。
前記配線機能付き天井５０には、部屋内又は天井に配設する音響機器や電気機器等のコードやケーブルのための配線空間が形成されていることを特徴としている。配線機能付き天井５０は、図８に示す如く、部屋の壁の上縁に連続する上層天井５１と、該上層天井５１の下方に設けられ、上層天井５１より面積の小さい下層天井との二層の天井で構成され、下方から見れば、下層天井５２の外方であって壁との間には上層天井５１が見える。
【００３８】
この配線機能付き天井５０は、図９に示す如く、住宅施工時に天井に備えることができるだけでなく、図１０に示す如く、既存の天井に備えて部屋の内装のリフォーム要素として設置することができる。住宅の施工時に配線機能付き天井５０を備えるときには、矩形枠状の上層天井５１の下方に矩形状の下層天井５２を設け、また、既存の天井に配線機能付き天井５０を備えるときには、既存の天井を上層天井５１とし、該上層天井５１の下方に矩形状の下層天井５２を設ける。
【００３９】
そして下層天井５２の四周には見切縁５３が取り付けられている。
図１１に示す如く、前記見切縁５３は、横断面略Ｌ字状に形成されており、垂直部５６と水平部５５を有している。垂直部５６の上面は上層天井５１の下面に接している。また、水平部５５の内周側は垂直部５６より内周側へ突出して下層天井５２の天井板支持部６２を形成しており、水平部５５の外周側は、垂直部５６より外周側へ突出し、周縁部には上方へ突出する起立部６３が形成されて配線棚５４を形成している。
【００４０】
前記見切縁５３は、上層天井５１を介して上層天井５１の天井板６１を支持している天井野縁に固定されている。また、下層天井５２の天井板５７を支持する天井野縁５８は見切縁５３に支持され、該天井野縁５８に石膏ボード５９を介して天井板５７が取り付けられている。
天井板５７は、吸音性を備えた長尺の板状部材を合決り接続し、略矩形状に組んだものであり、その四周縁は見切縁５３に形成された天井板支持部６２に載置された状態に固定されている。天井板５７の四周縁を見切縁５３で支持することで、天井板５７の周囲の収まりを美麗とするとともに、天井板５７の撓みを防止している。
なお、下層天井５２に吸音性を備えるために、石膏ボード５９は吸音性を有するものとし、天井板５７は、木製としている。但し、天井板５７に吸音性を備えるために、発泡材料で構成したり、スポンジや発泡材を下面に貼設したり、下面に無数の突起を設けたりすることもできる。
【００４１】
そして、下層天井５２の天井板５７には、埋め込み式の照明機器６０・６０・・・が取り付けられている。該照明機器６０・６０・・・の本体は、上層天井５１と下層天井５２及び見切縁５３で包囲された空間に収納されて、室内側へ突出しない構成としている。従って、上層と下層の二層に天井を構成することにより、実際の天井高は低くなるが、下層天井５２より下方には照明機器６０・６０・・・を突出することがないようにして、圧迫感を低減しているのである。また、上層天井５１と下層天井５２の間に照明機器６０・６０・・・を収納することで、照明機器６０・６０・・・の数、配置が限定されず、容易に照明機器６０・６０・・・の追加をすることができ、例えば、手元ライトの追加等、ホームシアタールームとして効果的な照明環境を整えることができる。
【００４２】
上述の如く構成した配線機能付き天井５０において、前述の収納家具１より上方へ延出された、プロジェクタ７８とＡＶアンプ３５及び左右のリアスピーカ７７Ｌ・７７ＲとＡＶアンプ３５を接続するケーブルが、配線機能付き天井５０の見切縁５３に形成された配線棚５４に載せて配線され、部屋の後方に配置されたプロジェクタ７８及び左右のリアスピーカ７７Ｌ・７７Ｒに導かれている。従って、図１２に示す如く、ＡＶ機器を収納している収納家具１と離れた位置に配置されるリアスピーカ７７Ｌ・７７Ｒやプロジェクタ７８に接続されたケーブルを、見切縁５３の上方に隠して配線することができ、室内側にケーブルが露出しない状態とすることができる。
【００４３】
このように、見切縁５３を利用した配線作業は、下方から見切縁５３に形成された配線棚５４にケーブルを載せるだけの簡単な作業であり、機器の変更や、部屋のレイアウトの変更等にも容易に対応することができる。
【００４４】
次に、遮光可動壁７０について説明する。
図８及び図１３に示す如く、遮光可動壁７０は、開口部７１の直ぐ室内側に設けられ、特に、スクリーン２５使用時に、室内の遮光性を高めるために用いられる。
遮光可動壁７０は、開口部７１の大きさに合わせて、複数の引き戸７２・７２・・・が摺動可能に備えられ、各引き戸７２・７２・・・は上層天井５１に設けられたレール（図示せず）に吊設され、床にはレールのない構造とされている。各引き戸７２・７２・・・は上層天井５１から床までの高さを有し、戸を広げた状態では、開口部７１は遮光可動壁７０に覆われて、あたかも壁が連続していて開口部７１が塞がれた状態となる。引き戸７２・７２・・・の表面は吸音素材が採用されて、ホームシアタールームとして適した環境を提供できるようにしている。
【００４５】
そして、遮光可動壁７０を構成する複数の引き戸７２・７２・・・のうち最も室内側に位置する引き戸７２ａは、平面視略Ｌ字状に形成されており、収納時の他の引き戸７２・７２・・・の戸当たりの役割を果たすとともに、戸を広げた状態で遮光可動壁７０と開口部７１との隙間から光が漏れることを防止して遮光性が高められている。
上述の如く構成した遮光可動壁７０は、遮光性及び吸音性を高め、ホームシアタールームとしての環境を整えるために設けられるものであり、ホームシアターシステムを使用しないときには、部屋の一隅に重ねた状態で収納される。
【００４６】
ホームシアターシステムでは、部屋内部に面する四の壁面と天井面及び床面を合わせた六面のうち、収納家具１を設置する壁面と、配線機能付き天井５０を構築する天井面の二面が合わせて提案・提供される。すなわち、収納家具１と配線機能付き天井５０の、ホームシアターシステムに必要なＡＶ機器を収納及び配線する内装がパッケージ化されて提供され、リビングルームにホームシアターが空間ごと組み込まれることになる。従って、収納家具１と配線機能付き天井５０は近接して配設され配線ができるだけ見えないようにしている。つまり、配線棚５４と配線空間２７ｈ・２７ｗまたは２８ｈ・２８ｗは連通され、隙間が生じる部分はカバー等で下方より覆われる。
【００４７】
ホームシアターシステムをリビングルームに空間ごと組み込むことで、ホームシアタールームとして適した環境を整えるとともに、リビングルームとしての機能を損なうことのないようにしている。すなわち、ホームシアターシステムを空間として提供することで、生活の場としての利便性を失わず、統一感があり、ホームシアターシステムを備えるに機能的な、環境を提供しているのである。
つまり、配線機能付き天井５０は、ホームシアターとして適した音響構造、照明構造により空間を演出している。また、遮光可動壁７０は、遮光性や吸音性を高め、ホームシアターとして適した音響構造、遮光構造により空間を演出している。
【００４８】
そして、ホームシアターシステムは、新築時に構築することができるだけでなく、リフォーム要素として構築することもできる。
【００４９】
ホームシアターシステムを構築するときには、予め設定された空間サイズバリエーションから、ホームシアターシステムを構築するための部屋に適したサイズを選択し、収納家具１の設置壁面と配線機能付き天井５０の設置範囲を計画する。なお、図１４に示す収納家具１の設置壁面と配線機能付き天井５０の設置範囲の空間サイズバリエーションは、大画面を見るうえで好ましくない、または、空間バランスの悪いものは除外されたうえで、顧客に示される。また、必要に応じて、遮光可動壁７０の設置も検討される。
【００５０】
顧客及び設計者は、予め、ホームシアターシステムのサイズを決定した上で、収納家具１に具備する家具を決定する。すなわち、例えば図７に示すような、収納家具１バリエーションを目安として、設置するＡＶ機器や収納家具１の設置壁面の大きさにより、適した家具が決定され、プランが立てられる。このように、予め収納家具１のバリエーションの目安を作成し、これらから選択することで、収納家具１を個別設計するよりも大幅にコストを削減することができる。
そして、配線機能付き天井５０のサイズを予め決定することにより、天井を構成する部材を施工現場に運ぶ前に選択し調整することができるため、施工現場での作業が簡易となり、また、施工現場での廃棄物を削減することができる。
【００５１】
さらに、収納家具１と配線機能付き天井５０のホームシアターシステムに必要なＡＶ機器を収納及び配線する内装に加え、ホームシアターに必要なＡＶ機器をパッケージ化して顧客に提供することにより、様々なプランに対応する汎用性を備えることができる。また、専門の知識を有さない顧客でも、気軽にホームシアターシステムを利用することができるようになり、ホームシアターシステムを楽しもうとする年齢層も広がることが期待される。
【００５２】
【発明の効果】
本発明は、以上のように構成したので、以下に示すような効果を奏する。
【００５３】
即ち、請求項１に示す如く、ＡＶ（オーディオビジュアル）機器を収納する収納家具と、ケーブル配線機能を備えた天井とを、ＡＶ機器収納用及び配線用の内装として構築したので、ホームシアターシステムを空間として提供することができ、ホームシアターとしての機能とインテリア性を備えるよう設計することが容易となる。
【００５４】
請求項２に示す如く、請求項１に記載のホームシアターシステムにおいて、前記天井を吸音性を備えた天井板で構成したので、ホームシアタールームとして適した環境を整えることができる。
【００５５】
請求項３に示す如く、請求項１又は請求項２に記載のホームシアターシステムにおいて、前記収納家具は壁面に沿って設置し、該収納家具の高さを壁面の上下高さと略同等としたので、収納家具から天井に亘って連続した配線空間を確保することができ、ケーブル等の配線を隠蔽することができる。
【図面の簡単な説明】
【図１】本発明の一実施例に係るホームシアターシステムの全体的な構成を示した斜視図。
【図２】収納家具を示す正面図。
【図３】収納家具の内部を示す正面図。
【図４】収納家具の内部を示す側断面図。
【図５】収納家具の構成を示す斜視図。
【図６】収納家具の別実施例を示す正面図。
【図７】収納家具のバリエーションを示す図。
【図８】ホームシアターシステムの全体的な構成を示した正面図。
【図９】新設した配線機能付き天井を示す断面図。
【図１０】既存の天井に設けた配線機能付き天井を示す断面図。
【図１１】見切縁を示す側断面図。
【図１２】配線機能付き天井を用いた配線の様子を示す図。
【図１３】ホームシアターシステムの全体的な構成を示した平面図。
【図１４】収納家具の設置壁面と配線機能付き天井の設置範囲の空間サイズバリエーションを示す図。
【符号の説明】
１　収納家具
２　ＡＶボード
５０　配線機能付き天井
５１　上層天井
５２　下層天井
５３　見切縁
７０　遮光可動壁
７５　トップユニット
７６　ベースユニット
【図１】
2004081537.tif 000003
【図２】
2004081537.tif 000004
【図３】
2004081537.tif 000005
【図４】
2004081537.tif 000006
【図５】
2004081537.tif 000007
【図６】
2004081537.tif 000008
【図７】
2004081537.tif 000009
【図８】
2004081537.tif 000010
【図９】
2004081537.tif 000011
【図１０】
2004081537.tif 000012
【図１１】
2004081537.tif 000013
【図１２】
2004081537.tif 000014
【図１３】
2004081537.tif 000015
【図１４】
2004081537.tif 000016